【手続補正書】
【提出日】平成30年11月16日(2018.11.16)
【手続補正１】
【補正対象書類名】特許請求の範囲
【補正対象項目名】全文
【補正方法】変更
【補正の内容】
【特許請求の範囲】
【請求項１】
コンピュータシステムによって、複数のジョブの実行順序を示すジョブ依存性情報により指定されるジョブと、データ系統情報により指定されるデータソースとの間のリンクを識別することにより、前記ジョブ依存性情報と前記データ系統情報との結合に基づく依存性情報を判断することと、
前記依存性情報に基づいて、前記データソースにおける前記ジョブの実行予定についての変更の影響を判断することと、
を含む、コンピュータにより実施される方法。
【請求項２】
ワークロード自動化システムに関連付けられたワークロードリポジトリから、スケジューリング情報を取得することと、
前記スケジューリング情報を変換することと、
データ記憶に前記スケジューリング情報を記憶させることであって、前記データ記憶が、前記データ系統情報を記憶していることと、により、ジョブ依存性情報を取得すること、を更に含む、請求項１に記載の方法。
【請求項３】
前記データ系統情報および前記ジョブ依存性情報によって参照されるデータソースを識別することにより、リンクを生成することを更に含む、請求項１に記載の方法。
【請求項４】
前記データソースを識別することが、前記データ系統情報および前記ジョブ依存性情報内の同一の名前によって参照されるデータソースを識別することを含む、請求項３に記載の方法。
【請求項５】
前記データソースを識別することが、ユニフォームリソースロケータを使用してデータソースを識別することを含む、請求項３に記載の方法。
【請求項６】
前記データソースを識別することが、データベース、テーブルスペース、およびテーブル名を使用して、リレーショナルデータベーステーブルを識別することを含む、請求項３に記載の方法。
【請求項７】
前記ジョブ依存性情報および前記データ系統情報によって参照される実行可能プログラムを識別することにより、リンクを生成することを更に含む、請求項１に記載の方法。
【請求項８】
前記実行可能プログラムを識別することが、前記実行可能プログラムに提供されるパラメータに少なくとも部分的に基づいて、実行可能プログラムを識別することを含む、請求項７に記載の方法。
【請求項９】
前記実行可能プログラムを識別することが、永続的なデータ記憶上の前記実行可能プログラムの位置に基づいて、実行可能プログラムを識別することを含む、請求項７に記載の方法。
【請求項１０】
前記影響を判断することが、
ジョブスケジューリングデータを識別するクエリを受信することと、
前記ジョブスケジューリングデータとデータ系統情報との間のリンクを識別することと、
前記スケジューリングデータに基づいて、前記データ系統情報への影響を識別することと、を含む、請求項１に記載の方法。
【請求項１１】
前記判断された影響を指定する報告を生成することを更に含む、請求項１に記載の方法。
【請求項１２】
前記実行予定についての変更により前記データソースが影響を受ける時に、１以上の警報を生成することを更に含む、請求項１に記載の方法。
【請求項１３】
前記判断された影響が、前記実行予定についての変更により前記データソースの中の特定のデータセットが不正確になりそうなことを明示する時に、１以上の警報を生成することを更に含む、請求項１に記載の方法。
【請求項１４】
１つまたは複数のコンピュータによる実行時に、前記１つまたは複数のコンピュータに動作を行わせるコンピュータプログラム命令を有する、符号化された非一時的コンピュータ記憶媒体であって、前記動作が、
複数のジョブの実行順序を示すジョブ依存性情報により指定されるジョブと、データ系統情報により指定されるデータソースとの間のリンクを識別することにより、前記ジョブ依存性情報と前記データ系統情報との結合に基づく依存性情報を判断することと、
前記依存性情報に基づいて、前記データソースにおける前記ジョブの実行予定についての変更の影響を判断することと、を含む、非一時的コンピュータ記憶媒体。
【請求項１５】
ワークロード自動化システムに関連付けられたワークロードリポジトリから、スケジューリング情報を取得することと、
前記スケジューリング情報を変換することと、
データ記憶に前記スケジューリング情報を記憶させることであって、前記データ記憶が、前記データ系統情報を記憶していることと、により、ジョブ依存性情報を取得することを更に含む、請求項１４に記載の媒体。
【請求項１６】
前記データ系統情報および前記ジョブ依存性情報によって参照されるデータソースを識別することにより、リンクを生成することを更に含む、請求項１４に記載の媒体。
【請求項１７】
前記データソースを識別することが、前記データ系統情報および前記ジョブ依存性情報内の同一の名前によって参照されるデータソースを識別することを含む、請求項１６に記載の媒体。
【請求項１８】
前記データソースを識別することが、ユニフォームリソースロケータを使用してデータソースを識別することを含む、請求項１６に記載の媒体。
【請求項１９】
前記データソースを識別することが、データベース、テーブルスペース、およびテーブル名を使用して、リレーショナルデータベーステーブルを識別することを含む、請求項１６に記載の媒体。
【請求項２０】
前記ジョブ依存性情報および前記データ系統情報によって参照される実行可能プログラムを識別することにより、リンクを生成することを更に含む、請求項１４に記載の媒体。
【請求項２１】
前記実行可能プログラムを識別することが、前記実行可能プログラムに提供されるパラメータに少なくとも部分的に基づいて、実行可能プログラムを識別することを含む、請求項２０に記載の媒体。
【請求項２２】
前記実行可能プログラムを識別することが、永続的なデータ記憶上の前記実行可能プログラムの位置に基づいて、実行可能プログラムを識別することを含む、請求項２０に記載の媒体。
【請求項２３】
前記影響を判断することが、
ジョブスケジューリングデータを識別するクエリを受信することと、
前記ジョブスケジューリングデータとデータ系統情報との間のリンクを識別することと、
前記スケジューリングデータに基づいて、前記データ系統情報への影響を識別することと、を含む、請求項１４に記載の媒体。
【請求項２４】
前記判断された影響を指定する報告を生成することを更に含む、請求項１４に記載の媒体。
【請求項２５】
前記実行予定についての変更により前記データソースが影響を受ける時に、１以上の警報を生成することを更に含む、請求項１４に記載の媒体。
【請求項２６】
前記判断された影響が、前記実行予定についての変更により前記データソースの中の特定のデータセットが不正確になりそうなことを明示する時に、１以上の警報を生成することを更に含む、請求項１４に記載の媒体。
【請求項２７】
１つまたは複数のコンピュータと、
前記１つまたは複数のコンピュータによる実行時に、前記１つまたは複数のコンピュータに動作を行わせるように実行可能な命令を記憶する、１つまたは複数の記憶装置と、を備えるシステムであって、前記動作が、
複数のジョブの実行順序を示すジョブ依存性情報により指定されるジョブと、データ系統情報により指定されるデータソースとの間のリンクを識別することにより、前記ジョブ依存性情報と前記データ系統情報との結合に基づく依存性情報を判断することと、
前記依存性情報に基づいて、前記データソースにおける前記ジョブの実行予定についての変更の影響を判断することと、を含むシステム。
【請求項２８】
ワークロード自動化システムに関連付けられたワークロードリポジトリから、スケジューリング情報を取得することと、
前記スケジューリング情報を変換することと、
データ記憶に前記スケジューリング情報を記憶することであって、前記データ記憶が、前記データ系統情報を記憶することと、により、ジョブ依存性情報を取得することを更に含む、請求項２７に記載のシステム。
【請求項２９】
前記データ系統情報および前記ジョブ依存性情報によって参照されるデータソースを識別することにより、リンクを生成することを更に含む、請求項２７に記載のシステム。
【請求項３０】
前記データソースを識別することが、前記データ系統情報および前記ジョブ依存性情報内の同一の名前によって参照されるデータソースを識別することを含む、請求項２９に記載のシステム。
【請求項３１】
前記データソースを識別することが、ユニフォームリソースロケータを使用してデータソースを識別することを含む、請求項２９に記載のシステム。
【請求項３２】
前記データソースを識別することが、データベース、テーブルスペース、およびテーブル名を使用して、リレーショナルデータベーステーブルを識別することを含む、請求項２９に記載のシステム。
【請求項３３】
前記ジョブ依存性情報および前記データ系統情報によって参照される実行可能プログラムを識別することにより、リンクを生成することを更に含む、請求項２７に記載のシステム。
【請求項３４】
前記実行可能プログラムを識別することが、前記実行可能プログラムに提供されるパラメータに少なくとも部分的に基づいて、実行可能プログラムを識別することを含む、請求項３３に記載のシステム。
【請求項３５】
前記実行可能プログラムを識別することが、永続的なデータ記憶上の前記実行可能プログラムの位置に基づいて、実行可能プログラムを識別することを含む、請求項３３に記載のシステム。
【請求項３６】
前記影響を判断することが、
ジョブスケジューリングデータを識別するクエリを受信することと、
前記ジョブスケジューリングデータとデータ系統情報との間のリンクを識別することと、
前記スケジューリングデータに基づいて、前記データ系統情報への影響を識別することと、を含む、請求項２７に記載のシステム。
【請求項３７】
前記判断された影響を指定する報告を生成することを更に含む、請求項２７に記載のシステム。
【請求項３８】
前記実行予定についての変更により前記データソースが影響を受ける時に、１以上の警報を生成することを更に含む、請求項２７に記載のシステム。
【請求項３９】
前記判断された影響が、前記実行予定についての変更により前記データソースの中の特定のデータセットが不正確になりそうなことを明示する時に、１以上の警報を生成することを更に含む、請求項２７に記載のシステム。
【請求項４０】
複数のジョブの実行順序を示すジョブ依存性情報により指定されるジョブと、データ系統情報により指定されるデータソースとの間のリンクを識別することにより、前記ジョブ依存性情報と前記データ系統情報との結合に基づく依存性情報を判断する手段と、
前記依存性情報に基づいて、前記データソースにおける前記ジョブの実行予定についての変更の影響を判断する手段と、を備えるシステム。